(57)【要約】      （修正有）【課題】外観美を有し、個別状でも連続状でも使用出来、プラスチック材を主体とした人工大理石を一体的に成形してなる人工大理石一体型流し台を提供する。【解決手段】流し台１００の正面部，背面部，側面部はすべて垂直面から形成され人工大理石の一体成型から均一に、かつ安定的に美観に形成される流し台１００を搭載する架台４を流し台１００の各ラインに沿って一線状に形成される。以上により、外観美の向上を図る事が出来る。【選択図】図２
0003202665.tif 000002
【実用新案登録請求の範囲】
【請求項１】
手洗いや水飲み流しや洗浄液等の液体の洗浄に使用される流し台であって、該流し台は使用される前記液体を一時的に収納又は流しできる容積を有する凹面体（ポール又はシンクとも言う）とこの凹面体を囲む縁面体（カウンター部又は縁部とも言う）とからなり、この縁面体は上面，前面，背面，側面や下部の平面体からこの凹面体と縁面体とはプラスチックを主体とした人工大理石を一体的に成形したものからなり、この縁面体の前面，背面，側面はすべて垂直面に形成され表面や水平部はこれ等の面に対してほぼ水平形成されることを特徴とするプラスチック材を主体とした人工大理石一体型流し台。
【請求項２】
前記請求項１に記載のプラスチック材を主体とした人工大理石一体型流し台が地面又は床面上に立設する架台上に載置され、前記架台の前記流し台と連続する対応面がすべて一線状に形成されることを特徴とする請求項１に記載のプラスチック材を主体とした人工大理石一体型流し台。
【請求項３】
前記凹面体の形状が、リング状，矩形状，四角状，三角状，曲線状のものからなることを特徴とする請求項１に記載のプラスチック材を主体とした人工大理石一体型流し台。
【請求項４】
前記架台はその前面側に使用者の膝や足の部分が挿入可能な凹部が形成されるものからなることを特徴とする請求項２に記載のプラスチック材を主体とした人工大理石一体型流し台。
【考案の詳細な説明】
【技術分野】
【０００１】  本考案は、外観美に優れ高品質に、かつ安定的に形成されるプラスチック材を主体とした人工大理石一体型流し台に関する。
【背景技術】
【０００２】  流し台としては従来より各種のものが製造，販売されている。その代表的な公知技術の１つとしては「特許文献１」が有る。
【先行技術文献】
【特許文献】
【０００３】
【特許文献１】特開２０１１−４１６０２号（図１）
【考案の概要】
【考案が解決しようとする課題】
【０００４】  前記の「特許文献１」の「特開２０１１−４１６０２号」の流し台は全体として一般的の構造のものであり中央にポール部（本考案では凹面体と言っている）とこれを囲むカウンター部（本考案では縁面体と言っている）等があり地面や床面に搭載されて使用されるものである（勿論、詳細構造としては本考案とは相違する部分もある）。【０００５】  しかし、本考案の図９や図１０に示す流し台も一般に使用されているものである。
図９に示す流し台は上面の凹面体がステンレス材を曲げ成形したものからなり、その上端の折り曲げられた縁部は幕板１１により内部より支持され、この幕板１１の下方には架台４ａが配置されて地表面に流し台全体を搭載されているものからなる。【０００６】  一方、図１０に示すものは人工大理石で形成したものでその上端の折り曲げ部は幕板１１により支持され、幕板１１の下方には架台４ａが配置されている。なお、図１０には水を流出する蛇口６が図示されているが他のものも蛇口が配置されている事は勿論であるが本考案が直接関係しないためその形状や配置等は省略する。
「特許文献１」や図９及び図１０に示す流し台の場合、例えば図１１に示すように複数台連続配置した場合、上面の縁部が折り曲がって出っ張っているため図示のように隙間１０が生じ外見上見苦しい。また、図示していないが流し台の前面と架台の前面とに段差が生じこれも見苦しく、かつ使用上不便を感ずる場合が多く問題である。【０００７】  本考案は、以上の問題点を解決すべく考案されたものであり、流し台それ自体として美観があり、同一のものを連続して配置しても隙間や段差もなく外観美の向上や使用上の安定度が図られると共に同一性や生産性も安定するプラスチック材を主体とした人工大理石一体型流し台を提供する事を目的とする。
【課題を解決するための手段】
【０００８】  本考案は、以上の目的を達成するために、請求項１の考案は、手洗いや水飲み流しや洗浄液等の液体の洗浄に使用される流し台であって、該流し台は使用される前記液体を一時的に収納又は流しできる容積を有する凹面体（ポール又はシンクとも言う）とこの凹面体を囲む縁面体（カウンター部又は縁部とも言う）とからなり、この縁面体は上面，前面，背面，側面や下部の平面体からこの凹面体と縁面体とはプラスチックを主体とした人工大理石を一体的に成形したものからなり、この縁面体の前面，背面，側面はすべて垂直面に形成され表面や水平部はこれ等の面に対してほぼ水平形成されることを特徴とする。【０００９】  また、請求項２の考案は、前記請求項１に記載のプラスチック材を主体とした人工大理石一体型流し台が地面又は床面上に立設する架台上に載置されたものであり、前記架台の前記流し台と連続する対応面がすべて一線状に垂直に形成されることを特徴とする。【００１０】  また、請求項３の考案は、前記凹面体の形状が、リング状，矩形状，四角状，三角状，曲線状のものからなることを特徴とする。【００１１】  また、請求項４の考案は、前記架台はその前面側に使用者の膝や足の部分が挿入可能な凹部が形成されるものからなることを特徴とする。
【考案の効果】
【００１２】  図１（ａ），（ｂ）は請求項１の流し台によれば、全体が人工大理石で一体的に形成されていると共に各面表面，前面，側面，背面等が垂直面に形成され図５や図６に示すように同一形状のものを連続して隣接しても隙間がなく全体としての外観美が保たれる。
また、図６のような配置としても外観美がよく、図７に示す料理台１２を配置する場合にも美観を呈する事が出来る。また、各種の並べ方が出来る。【００１３】  また、請求項２の場合は、架台を設けたものであり、一体的形状でなる事により各面が流し台と一致しているため美観を保持することが出来る。【００１４】  また、請求項３の考案は、各種の凹面体を形成するものである。勿論これ以外の各種形状の凹面体を何等が出来る。【００１５】  また、請求項４の考案は、架台４に凹部を形成したもので、特に車椅子を使用する人や膝や足の悪い人に対するもので、この形状により通常の流しで料理等を行う事が出来る。なお、凹部の形状としては各種のものが形成される事は勿論である。
【図面の簡単な説明】
【００１６】
【図１】矩形型の凹面体を形成する流し台を示す上面図（ａ）及び（ａ）のＡ−Ａ線断面図（ｂ）。
【図２】架台上に流し台を搭載した状態を示す斜視図。
【図３】各種の形状の凹面体を有する流し台の上面図。
【図４】架台に凹部を設け車椅子等の使用者の便宜を計るようにした架台を有する流し台とその使用状態を示す断面図。
【図５】流し台を横に複数並べた状態を示す上面図（ａ），表面図（ｂ）。
【図６】流し台を横に複数個並べると共に三角形の配置状態を示す上面図（ａ）及びその表面図（ｂ）。
【図７】流し台と料理台を取り付けて並べた状態を示す上面図。
【図８】従来の菱形の流し台を連結配置した状態を示す断面図（ａ），（ｂ）。
【図９】従来のステンレス型の流し台を示す正面図。
【図１０】従来の人工大理石型の流し台を示す正面図。
【図１１】従来の流し台を連続配置した状態を示す正面図。
【考案を実施するための形態】
【００１７】  以下、本考案の流し台の実施の形態を図を基にして詳述する。
【実施例１】
【００１８】  図１はリング型の凹面体１を有する流し台１００の上面図である。この凹面体１は縁面体２により四方を囲まれている。縁面体２は図１（ａ）ではすべて垂直面の正面部２ａ，背面部２ｂ，両側面部２ｃ，２ｃにより囲まれている。勿論、側面部は図示より長いものが当然存在している。また、図１（ｂ）に示すように水平部２ｄは平面からなる。
図１（ｂ）に示すように側面部２ｃは垂直に示されているが、凹面体１の内部は水等が流れ易くするため若干傾斜し各部にＲ部を形成している。また、中央には吐出口３が貫通形成されている。以上の形状の流し台１００はプラスチックを主体とする人工大理石を用いて一体的に形成型されるものであり、外観が美しく、かつ安定的に形成される。【００１９】  図２は図１に示した流し台１００の水平部２ｄは架台４を取り付けたものである。この架台４も流し台１００の垂直線と同一の位置に形成され、外観美を示している。なお、この架台４には物入れ５が形成されているがその詳細構造の説明は省略する。なお、図示には蛇口６が示されているがその位置や形状等は各種のものが有り、説明を省略する。【００２０】  図３は凹面体の各種の形状の数例を示したものである。ａ）はリング状，ｂ）は矩形状，ｃ）は四角状，ｄ）は三角状，ｅ）は曲線状等のものが示されている。勿論、これ等の形状に限定するものではない。一般には（ａ）のリング状のものや（ｂ）の矩形状のものが多く使用されている。【００２１】  前記したように流し台１００の下方には一般に架台４が設けられている。この架台４としては図２に示したものが一般的である。但し、世の中には車椅子を使用する人８や腰や足の悪い人も多い。この人達のためには図４に示すように架台４に凹部７を形成するとよい。これにより坐ったままの状態で流し台を使用することが出来る。このような架台４も色々の形式のものが有るが説明を省略する。【００２２】  図５乃至図７は図３に説明した流し台１００を連続並べ、全体として美観のある長い流し台を形成する事が出来る。また、下の架台との取り合いもうまく行き、安全的で完全な流し台を形成することが出来、そしてその形態も自由に出来る。また、流し台は一体成型のため同一のものであるため安定的に、かつ連続的に形成する事が容易に出来る。【００２３】  図８は一体的に形成された人工大理石を用いたものであるが、側面等が垂直でなく、全体として見苦しいだけでなく水洩れの原因になりかねない。【００２４】  本考案は以上の内容のものであるがその内容は以上のものに限定するものてはなく、同一技術的範疇のものが適用される事は勿論である。
【産業上の利用可能性】
【００２５】  本考案は各種の形状の凹面体を有する流し台に適用され、単独や連続体で使用され、その利用範囲は極めて広い。
【符号の説明】
【００２６】１      凹面体
２      縁面体
２ａ    正面部（表面部）
２ｂ    背面部
２ｃ    側面部
２ｄ    水平部
３      吐出口
４      架台
５      物入れ
６      蛇口
７      凹部
８      人
９      膝や足
１０    隙間
１１    幕板
１２    料理台
１００  プラスチック材を主体とした人工大理石一体型流し台
【図１】
0003202665.tif 000003
【図２】
0003202665.tif 000004
【図３】
0003202665.tif 000005
【図４】
0003202665.tif 000006
【図５】
0003202665.tif 000007
【図６】
0003202665.tif 000008
【図７】
0003202665.tif 000009
【図８】
0003202665.tif 000010
【図９】
0003202665.tif 000011
【図１０】
0003202665.tif 000012
【図１１】
0003202665.tif 000013